(57)【特許請求の範囲】
【請求項１】
被捕集物質を捕集可能な捕集基質を曝した状態で装着することが可能である被捕集物質捕集器本体と、
該被捕集物質捕集器本体の外縁よりも大きな内縁を有する第１リング部材と、
該第１リング部材の外縁よりも大きな内縁を有する第２リング部材と、
前記第２リング部材を被験者に取り付けることを可能とする取付部材と、を備え、
前記被捕集物質捕集器本体は、その垂直方向に延びる中心軸と直交する第１軸を中心に、前記第１リング部材に対して傾動可能に取り付けられているとともに、前記第１軸よりも下方に重心を有し、
前記第１リング部材は、前記中心軸及び前記第１軸に直交する第２軸を中心に、前記第２リング部材に対して傾動可能に取り付けられていることを特徴とする携帯用パッシブ型被捕集物質捕集器。
【請求項２】
前記被捕集物質捕集器本体は、前記捕集基質を上方に向けて曝した状態で装着可能であることを特徴とする請求項１記載の携帯用パッシブ型被捕集物質捕集器。
【請求項３】
前記取付部材は、被験者に取付可能な取付鎖又は／及びフックであることを特徴とする請求項１または２記載の携帯用パッシブ型被捕集物質捕集器。
【発明の詳細な説明】
【技術分野】
【０００１】
本発明は、被捕集物質を捕集可能な捕集基質を装着可能である被捕集物質捕集器に関するものである。
【背景技術】
【０００２】
現在、日本人の約４０００〜５０００万人が何らかのアレルギー症状を抱えており、その数も年々増加傾向にある。例えば、日本国における喘息医療費は、労働損失など間接費を含めると、年間約６４００億円にものぼることが報告されている。花粉症患者は、全国で約１３００万人、経済損失は年間約２９００億円と推定され、問題の早期解決が望まれる。また、欧米においても最近の１０年間で、アレルギー性疾患の罹患率が２０〜５０％の率で増加していると報告されており、対策が急務とされている。
【０００３】
気管支喘息やアレルギー性鼻炎など呼吸器系アレルギー疾患においては、吸入性アレルゲン（ダニ、カビ、スギ花粉など）による曝露の寄与が大きいと言われているものの、呼吸器系アレルギー疾患の発症機構の詳細については未解明な部分も多く、広範かつ体系的な曝露評価調査や疫学調査を行うことによって、その発症機構の詳細を解明する必要がある。
【０００４】
呼吸器系アレルギー疾患の発症機構の詳細の解明は、ポンプなどの動力を利用したアクティブ型捕集器によって、吸入性アレルゲンを含む浮遊粒子状物質を捕集することによって行なうことができる。例えば、複数のアクティブ型捕集器を室内外の様々な場所に設置して、これら複数のアクティブ型捕集器によって捕集された吸入性アレルゲンに基づいて、個人曝露量を推定することが行われている。しかしながら、このような方法は、あくまでも推定の域を脱しておらず、吸入性のアレルゲンの個人曝露評価について、被験者を取り囲む極めて局域的な空気中濃度についてまで考慮されているものではない。また、このようなアクティブ型捕集器を各被験者に取り付けて運搬させることによって、極めて曲域的な空気濃度測定するということが考えられるが、そのポンプが重いなどの理由から、持ち運びには適していない（特許文献１）。
【０００５】
一方、このようなアクティブ型捕集器の他に吸入性のアレルゲンを捕集するものとして、ポンプを用いないパッシブ型捕集器が用いられている（特許文献２）。パッシブ型捕集器は、通常、気体透過性の捕集基質（拡散フィルタ）を張った容器、又は気体透過性材質により作成された捕集基質（拡散フィルタ）中に、吸着剤をコーティングした充填剤を満たしたサンプラーからなり、これらフィルタに被捕集物を捕集するように構成されている。窒素酸化物（ＮＯｘ）や揮発性有機化合物（ＶＯＣｓ）など、ガス相の物質に対しては、物質固有の拡散係数を用いることにより、パッシブ型捕集器を用いて捕集した物質量から比較的容易に空気中濃度を算出することができる。一方、固体である浮遊粒子状物質（吸入性アレルゲンを含む）は、粒子の大きさにより、空気中における慣性運動、沈降速度、ブラウン拡散の寄与割合が著しく異なることから、パッシブ捕集した粒子全体量から空気中濃度を換算することは、理論的に不可能である。しかし、例外的に、粗大なアレルゲン粒子のみを対象とすれば、ブラウン拡散の影響を十分に無視することができる。したがって、重力沈降のみを考慮した比較的単純化された計算式を用いることにより、浮遊粒子状物質の空気中濃度の計算が可能となる。このような粒径１０μｍ以上の粗大アレルゲン粒子としては、ダニ、カビ、スギ花粉が含まれており、重要な粒径域の粒子種であるといえる。このため、パッシブ型捕集器により粗大なアレルゲン粒子を捕集して、空気中濃度を計算することができる。
【０００６】
パッシブ捕集した粒子より導かれる空気中の粒子個数濃度の算出方法は、以下の通りである。
【０００７】
アレルゲン粒子の捕集メカニズムとして、重力沈降を想定すると、粒径ｄｐ（ｍ）を有する粒子の重力沈降速度ＶＴＳ（ｍ・ｓ−１）は数１により表される。
【０００８】
【数１】
0004704130.tif 000002
【０００９】
ここで、ρp（ｋｇ・ｍ−３）：粒子密度、ｇ（ｍ・ｓ−２）：重力加速度、η（ｋｇ・ｍ−１・ｓ−１）：空気の粘性である。また、重力方向に対し垂直方向に配される表面積Ａ（ｍ２）の捕集基質表面にＮ個の粒子が重力沈降捕集された場合、重力沈降による粒子フラックスＪ（ｍ−２・ｓ−１）は、数２により表される。
【００１０】
【数２】
0004704130.tif 000003
【００１１】
ここで、ｔ（ｓ）：捕集時間である。また、当該空間における粒子の個数濃度Ｃ（ｍ
−３）は、フラックスＪおよび重力沈降速度ＶＴＳの情報より、数３により表される。
【００１２】
【数３】
0004704130.tif 000004
【００１３】
したがって、粒子個数濃度Ｃは、数１〜数３より、数４によって表される。
【００１４】
【数４】
0004704130.tif 000005
【００１５】
ここで、測定条件および測定粒子を数えることによって、Ｎ、η、Ａ、ｔおよびｇを得ることができる。一方、ρｐおよびｄｐは、各アレルゲン粒子で異なる未知数をとることから、粒子密度ρｐに関しては文献値（例：花粉８５０ｋｇ・ｍ−３）より情報を得て、粒子径ｄｐに関しては重力沈降捕集した粒子を顕微鏡観察することにより情報を得ることが可能である。
【００１６】
このようなパッシブ型捕集器は、ポンプを必要としないので、軽量である。このため、被験者に持ち運ばせることにより、個人曝露捕集器として利用することが考えられる。
【００１７】
【特許文献１】特開２００４−３７２３０
【特許文献２】特開２００４−１９１１２０
【発明の開示】
【発明が解決しようとする課題】
【００１８】
しかしながら、パッシブ型被捕集物質捕集器を被験者に装着させる場合、被験者の動きにより、粒子を捕集する捕集基質面が傾く場合があり、算出される空気中の粒子個数濃度にその傾きによる誤差が生じるという問題がある。すなわち、上述のように捕集基質上に重力沈降捕集した粒子から空気中の濃度を計算することは可能であるが、計算精度をより上げるためには、測定時の捕集基質面の重力方向に対する傾きを一定の角度に維持する必要がある。また、重力沈降する浮遊粒子以外の被捕集物質、例えばアルデヒドやケトンなどのガスを捕集する場合であっても、測定時の捕集基質面の重力方向に対する傾きを一定の角度に維持する必要がある。
【００１９】
そこで、本発明は、このような問題に鑑みてなされたものであって、被験者が携帯可能な程度に軽量であり、その被験者の動きによる誤差を可及的に防止することができるパッシブ型被捕集物質捕集器を提供することを目的とする。
【課題を解決するための手段】
【００２０】
以上の目的を達成するため、本発明に係る被捕集物質捕集器は、被捕集物質を捕集可能な捕集基質を曝した状態で装着することが可能である被捕集物質捕集器本体と、該被捕集物質捕集器本体の外縁よりも大きな内縁を有する第１リング部材と、該第１リング部材の外縁よりも大きな内縁を有する第２リング部材と、を備え、前記被捕集物質捕集器本体は、その垂直方向に延びる中心軸と直交する第１軸を中心に、前記第１リング部材に対して傾動可能に取り付けられているとともに、前記第１軸よりも下方に重心を有し、前記第１リング部材は、前記中心軸及び前記第１軸に直交する第２軸を中心に、前記第２リング部材に対して傾動可能に取り付けられていることを特徴とする。
【００２１】
以上のように本発明に係る被捕集物質捕集器によれば、被捕集物質捕集器本体が下方に重心を有し、第１リング部材と傾動可能であって、この第１リング部材は、第２リング部材と傾動可能であるので、被捕集物質捕集器本体は、重力方向に対して常に一定の方向に維持し、これにより、装着された捕集基質の面を重力方向に対して一定の角度に維持することができる。
【００２２】
本発明に係る被捕集物質捕集器において、前記被捕集物質捕集器本体は、前記捕集基質を上方に向けて曝した状態で装着可能であることが好ましく、このように捕集基質を上方に向けて曝した状態で装着する場合、被捕集物質として重力沈降する浮遊粒子を捕集することができる。すなわち、上記数２及び数４のＡの値を定置することにより、パッシブ捕集した粒子量から空気中濃度への換算を経験又は統計的にではなく、物質移動論などに基づき解析的に行なうことができる。
また、前記捕集基質の面の角度は、様々な角度になるように捕集基質を装着しても良く、例えば捕集基質の面が垂直な状態になるように捕集基質を装着した場合、ガスなどの捕集に用いることができる。
【００２３】
また、本発明に係る被捕集物質捕集器は、前記第２リング部材を他の部材に取り付けることを可能とする取付部材を少なくとも１以上備えることが好ましく、このように取付部材を設けることにより、被験者に取り付けることができる。さらに、本発明に係る捕集物質捕集基は、被験者に携帯させて利用する他、静置して用いても良い。この場合、上述のように捕集基質の面を一定の角度に維持することができるので、傾斜面に設置した場合であっても、重力方向に垂直な角度など所望の角度を保つことができる。
【発明の効果】
【００２４】
以上のように、本発明によれば、被験者が携帯可能な程度に軽量であり、その被験者の動きによる誤差を可及的に防止することができるパッシブ型被捕集物質捕集器を提供することができる。
【００２５】
このように、このパッシブ型捕集器を持ち運び可能な携帯型にすることにより、被験者に常時携帯してもらうことが可能となり、これにより被験者を取り囲む極めて局域的な空気中濃度について常時測定することができ、より現実に即した形で対象物質への個人暴露を評価することが可能となる。そして、これにより、アレルギー患者に関するより精緻な曝露評価調査および疫学調査が促進され、これまで未解決な部分も多かったアレルギー疾患の発症機構の詳細について、新たな知見を得ることが可能となる。また、乳幼児が携帯可能な数センチ大のパッシブ型捕集器を開発すれば、アレルギー疾患の発症において重要な乳幼児期におけるデータ収集が可能となる。
【発明を実施するための最良の形態】
【００２６】
次に、本発明に係る被捕集物質捕集器の第１実施例について、図面に基づいて説明する。第１実施例に係る被捕集物質捕集器は、重力沈降する浮遊粒子を捕集するものである。図１は、第１実施例に係る被捕集物質捕集器の正面図であり、図２は、その平面図であり、図３は、その側面図であり、図４は、図２のＡ−Ａ線に沿った断面図であり、図５は、図２のＢ−Ｂ線に沿った断面図である。
【００２７】
第１実施例に係る被捕集物質捕集器１０は、捕集基質１２を装着することが可能な被捕集物質捕集器本体１４と、被捕集物質捕集器本体１４の外縁よりも大きな内縁を有する第１リング部材１６と、第１リング部材１６の外縁よりも大きな径の内周面からなる開口部１８Ａを上方に有するハウジング部材１８と、を備えている。
【００２８】
被捕集物質捕集器本体１４は、上方に円状の開口１４Ａを有する有底円筒状に形成されており、その開口１４Ａには、その全域を覆うように円盤状の捕集基質１２を装着することができる。すなわち、開口１４Ａの内周面の上端には、開口１４Ａよりも大きな径を有する段差１５が形成されており、その段差１５の上面に捕集基質１２の外縁が載置される。したがって、捕集基質１２の径は、段差１５の内径と同じであることが好ましく、少なくとも段差１５の内径よりも小さく、開口１２Ａの内径よりも大きい必要がある。この捕集基質１２の上方には、リング状のゴムパッキン２０を介して、捕集基質１２とほぼ同径な円盤状の網目部材２２が載置される。さらに、リング状の蓋部材２４を被捕集物質捕集器本体１４に螺着することによって、網目部材２２及びゴムパッキン２０を段差１５の方向に押圧し、これにより、捕集基質１２を被捕集物質捕集器本体１４に固定することができる。網目部材２２は、捕集の目的とするダニ、カビ、スギ花粉などの浮遊粒子が透過可能に構成されている。
【００２９】
被捕集物質捕集器本体１４は、垂直方向下方に突出する突出部１４Ｂを有する。また、被捕集物質捕集器本体１４は、その垂直方向の軸線ａ−ａに垂直な位置の軸線ｂ−ｂを中心に、第１リング部材１６に対して傾動可能に取り付けられている。すなわち、被捕集物質捕集器本体１４の軸線ｂ−ｂ上には、外周面から中心に向かって一対のねじ穴２６、２６が形成されており、このねじ穴２６、２６に後述する取付ねじ２８、２８が螺合されることにより、被捕集物質捕集器本体１４を第１リング部材１６に対して傾動可能に取り付けている。そして、被捕集物質捕集器本体１４の突出部１４Ｂは、垂直方向下方に突出することによって、被捕集物質捕集器本体１４の重心を軸線ｂ−ｂよりも下方に形成することができ、これにより例え第１リング部材１６が傾いたとしても、被捕集物質捕集器本体１４は、第１リング部材１６に対してその傾いた方向と反対方向に相対的に傾動し、その上下方向の軸を軸線ａ−ａと一致させることができるので、捕集基質１２は、重力方向に対して垂直な位置を維持することができる。
【００３０】
第１リング部材１６は、上述のように被捕集物質捕集器本体１４のねじ穴２６、２６に螺合可能な取付ねじ２８、２８によって被捕集物質捕集器本体１４を傾動可能に取り付けている。第１リング部材１６と被捕集物質捕集器本体１４の間の取付ねじ２８、２８の外周には、テフロン（登録商標）など摩擦係数の少ない素材で構成された円筒状のスペーサ３０、３０が介在しており、このスペーサ３０、３０によって、第１リング部材１６に対する被捕集物質捕集器本体１２の傾動を可能としている。また、第１リング部材１６は、上述した軸線ａ−ａ及び軸線ｂ−ｂに対して垂直な軸線ｃ−ｃを中心に、ハウジング部材１８の開口部１８Ａに対して傾動可能に取り付けられている。すなわち、第１リング部材１６の軸線ｃ−ｃ上には、外周面から中心に向かって一対のねじ穴３２、３２が形成されており、このねじ穴３２、３２に後述する取付ねじ３４、３４が螺合されることにより、第１リング部材１６をハウジング部材１８の開口部１８Ａに対して傾動可能に取り付けている。
【００３１】
ハウジング部材１８は、上述のように第１リング部材１６のねじ穴３２、３２に螺合可能な取付ねじ３４、３４によって、開口部１８Ａに第１リング部材１６を傾動可能に取り付けている。ハウジング部材１８と第１リング部材１６の間の取付ねじ３４、３４の外周には、テフロン（登録商標）など摩擦係数の少ない素材で構成された円筒状のスペーサ３６、３６が介在しており、このスペーサ３６、３６によって、ハウジング部材１８に対する第１リング部材１６の傾動を可能としている。したがって、このハウジング部材１８の開口部１８Ａは、第２リング部材として機能している。
【００３２】
また、ハウジング部材１８は、断面Ｕ字状に形成されており、取付ねじ３４、３４の上方に突出して延在する一対の突出部１８Ｂ、１８Ｂを有する。この突出部１８Ｂ、１８Ｂの一方には、取付鎖３８の一端がねじ４０によって傾動可能に取り付けられており、他方には、取付鎖３８の他端がねじ４０によって傾動可能に取り付けられている。この取付鎖３８は、被験者の首に掛けるのに十分な長さを有する。また、このような取付鎖３８を取り付ける代わりに被験者のベルトなどに引っ掛けるためのフック４２を設けても良い。このフック４２は、例えばＬ字状に形成して、ハウジング部材１８の底面にねじ４４によって固定しても良い。
【００３３】
次に、第１実施例に係る被捕集物質捕集器において、捕集基質１２の面を重力方向に直交した状態に維持可能であることについて説明する。先ず、被捕集物質捕集器本体１４は、突出部１４Ｂによって中心下部に重心を有する。したがって、図１に示すように、被捕集物質捕集器１０が軸線ｂ−ｂを中心に方向Ｍｂに傾く場合、第１リング部材１６は、ハウジング部材１８と一体に方向Ｍｂに傾くが、粒子捕集器本体１２は、突出部１２Ｂによる中心下部への重心により、軸線ｂ−ｂを中心に第１リング部材１６に対して、第１リング部材１６とハウジング部材１８が傾いた方向と反対方向に相対的に傾動され、捕集基質１２の面の重力方向に垂直な位置が維持される。また、図３に示すように、被捕集物質捕集器１０が軸線ｃ−ｃを中心に方向Ｍｃに傾く場合、ハウジング部材１８は、方向Ｍｃに傾くが、被捕集物質捕集器本体１４は、突出部１４Ｂによる中心下部への重心により、第１リング部材１６と一体となって、軸線ｃ−ｃを中心にハウジング部材１８に対して、ハウジング部材１８が傾いた方向と反対方向に相対的に傾動され、捕集基質１２の面の重力方向に垂直な位置が維持される。さらに、被捕集物質捕集器１０が軸線ｂ−ｂと軸線ｃ−ｃの間の軸を中心に傾く場合、ハウジング部材１８は、その傾いた方向に傾くが、粒子捕集器本体１４は、突出部１４Ｂによる中心下部への重心により、第１リング部材１６は、軸線ｃ−ｃを中心にハウジング部材１８に対して、ハウジング部材１８が傾いたベクトルを軸線ｂ−ｂ方向と軸線ｃ−ｃ方向に分解した二つのベクトルのうち軸線ｂ−ｂ方向のベクトルの反対方向に相対的に傾動されるとともに、粒子捕集器本体１４は、軸線ｂ−ｂを中心に第１リング部材１６に対して、上述のように分解した二つのベクトルのうち軸線ｃ−ｃ方向のベクトルの反対方向に相対的に傾動され、捕集基質１２の面の重力方向に対して垂直な位置を維持することができる。
【００３４】
次に、実施例１に係る被捕集物質捕集器１０を用いたアレルゲン粒子の採取方法及びアレルゲン粒子の測定方法について説明する。
【００３５】
第１実施例に係る被捕集物質捕集器１０をスギ花粉の採取に使用する場合、ワセリンなどを塗布したスライドガラスを捕集基質１２として使用する。スライドガラス上に付着したスギ花粉はゲンチアナバイオレットなどの染色液で染色し、光学顕微鏡により、捕集基質１２上に付着した花粉を観察することによって１ｃｍ２あたりの花粉の量を計算することができる。
【００３６】
第１実施例に係る被捕集物質捕集器１０を真菌や細菌の採取に使用する場合、ペトリ皿に寒天培地を固化させたものを捕集基質１２として使用する。寒天培地上に落下した真菌や細菌は、目視できるまで培養するのではなく、より短時間に成長した微小なコロニーを染色することにより判別し易くし、１０〜２０倍の顕微鏡観察によって、コロニーを計数することができる。
【００３７】
上記に加えて、スギ花粉、真菌及び細菌などのアレルゲン粒子を識別する方法であるＥＬＩＳＡ染色法を使用してもよい。この染色法は、生体内にアレルゲンなどの異物（原体）が入り、生体内の免疫システムにより、その抗原にのみ特異的に作用、捕捉するタンパク（抗体）が生産されることを応用したものである。すなわち、アレルゲン粒子に付着した抗体に、発色基質（もしくは蛍光基質）を作用させることにより、アレルゲン粒子のみを選択的に発色染色（もしくは蛍光染色）するものである。これら染色されたアレルゲン粒子は、光学顕微鏡や蛍光顕微鏡を用いることで観測し、定量が行われる。
【００３８】
また、顕微鏡により取得した画像を、電子端末に取り込み画像解析ソフトを用いることにより、染色された粒子の色彩、粒径、形状、個数などについて解析を迅速に実効することも可能である。
【００３９】
例えば、文献値より密度ρｐ＝８５０ｋｇｍ３を得て、球形アレルゲン粒子であると仮定した場合、顕微鏡観察によりアレルゲン粒径が３０μｍであると確定すれば、一つあたりのアレルゲン粒子の質量は４．５×１０−１６ｋｇ（０．４５ｐｇ）となる。したがって、顕微鏡観察を用いる本手法は、ｐｇレベルでのアレルゲン検出が可能な測定手段であるといえる。そして、その検出感度の高さから、より短時間で個人曝露測定が可能となる。また、従来法である吸光度測定方法はアレルゲンをバルクとして分析することから、粒子の粒径分布や形状などの情報を取得不可能である一方、本手法であれば、試料を顕微鏡観察することから、アレルゲン粒子の粒径分布や形状などの付加情報を得ることが可能になる。
【００４０】
また、浮遊粒子状物質の粒径及び形状は、呼吸器官における沈着部位、すなわち呼吸器官における炎症部位を決定する因子であるので、この付加情報が重要な役割を果たすこととなる。
【００４１】
また、実施例１に係る被捕集物質捕集器１０を用いてアクティブ捕集する場合、捕集時における捕集基質の空気表面速度Ｕ０は、以下に示す数５により計算される。
【００４２】
【数５】
0004704130.tif 000006
【００４３】
ここで、Ｑ：流量、Ｄ０：捕集基質直径である。捕集基質直径、空気流量、及び粒子直径にもよるが、数１により算出されるパッシブ型における浮遊粒子の重力沈降速度ＶＴＳは、粒子が粗大になるほど、アクティブ型における空気表面速度Ｕ０を十分に上回ることが分かる。上記のようなスギ花粉、真菌及び細菌などのアレルゲン粒子は、捕集基質における空気表面速度と比較し、同程度の重力沈降速度である。したがって、これらのアレルゲン粒子を捕集対象物質として第１実施例の示す被捕集物質捕集器１０により採取することで、ポンプで空気を吸引するアクティブ型の被捕集物質捕集器と比較し同程度のアレルゲン量を、煩雑な機器類を用いることなく重力沈降のみを用い容易に捕集することが可能になる。
【００４４】
なお、第１実施例に係る被捕集物質捕集器１０は、被験者が持ち運んで使用する他に、静置させて用いることもできる。例えば、図６に示すように、三脚４６をハウジング部材１８の底面にねじによって取り付けることができる。この場合、第１実施例に係る被捕集物質捕集器１０を傾斜面４８上に置いたとしても、上述した構成から捕集基質１２の面を重力方向に垂直な位置に維持することができる。
【００４５】
次に、本発明に係る被捕集物質捕集器の第２実施例について説明する。第２実施例に係る被捕集物質捕集器は、ホルムアルデヒドなどのガスを捕集するものである。図７は、第２実施例に係る被捕集物質捕集器の正面図であり、図８は、図７に対応する被捕集物質捕集器の側面図である。第２実施例に係る被捕集物質捕集器１０’は、第１実施例と被捕集物質捕集器本体１４’の形状が異なる。この第２実施例に係る被捕集物質捕集器本体１４’は、捕集基質１２を垂直な状態、すなわち重力方向に平行な状態で装着可能に構成されている。このように捕集基質１２を垂直な状態で装着することにより、例えばホルムアルデヒドやケトンなどガスを捕集する場合であっても、一定の角度を保つことができるので、測定誤差が生じるのを可及的に防止することができる。
【００４６】
以上、発明の実施例について説明したが、本発明はこれらに限定されるものではない。例えば、第１実施例においては、捕集基質としてカバーガラス及び寒天培地等を説明したが、この他、ろ紙を使っても良い。また、捕集器基質の重力方向に対する角度は０°及び９０°に限られず、所定の角度に維持することが可能であれば良い。
【図面の簡単な説明】
【００４７】
【図１】本発明の第１実施例にかかる被捕集物質捕集器の正面図である。
【図２】本発明の第１実施例にかかる被捕集物質捕集器の平面図である。
【図３】本発明の第１実施例にかかる被捕集物質捕集器の側面図である。
【図４】本発明の第１実施例にかかる被捕集物質捕集器のＡ−Ａ断面図である。
【図５】本発明の第１実施例にかかる被捕集物質捕集器のＢ−Ｂ断面図である。
【図６】本発明の第１実施例にかかる被捕集物質捕集器の設置例を示す図である。
【図７】本発明の第２実施例にかかる被捕集物質捕集器の正面図である、
【図８】本発明の第２実施例にかかる被捕集物質捕集器の側面図である。
【符号の説明】
【００４８】
１０，１０’・・・被捕集物質捕集器
１２・・・捕集基質
１４，１４’・・・被捕集物質捕集器本体
１４Ａ・・・開口
１４Ｂ・・・突出部
１５・・・段差
１６・・・第１リング部材
１８・・・ハウジング部材
１８Ａ・・・開口部
１８Ｂ・・・突出部
２０・・・ゴムパッキン
２２・・・網目部材
２４・・・蓋部材
２６・・・ねじ穴
２８・・・取付ねじ
３０・・・スペーサ
３２・・・ねじ穴
３４・・・取付ねじ
３６・・・スペーサ
３８・・・取付鎖
４０・・・ねじ
４２・・・フック
４４・・・ねじ
４６・・・三脚
４８・・・傾斜面
【図１】
0004704130.tif 000007
【図２】
0004704130.tif 000008
【図３】
0004704130.tif 000009
【図４】
0004704130.tif 000010
【図５】
0004704130.tif 000011
【図６】
0004704130.tif 000012
【図７】
0004704130.tif 000013
【図８】
0004704130.tif 000014